(57)【要約】【課題】不特定多数の利用者によって利用される通信装置によって、利用される通信装置において、利用者の携帯端末装置に格納された送信あて先情報（電話帳）を使って、簡便に送信ができるようにする。使用者の送信あて先情報は、自動的に削除されるようにして、安全なシステムを提供する。【解決手段】送信あて先情報を記憶する手段を備えた通信装置と携帯端末から構成される通信システム。携帯端末に格納された送信あて先情報を、通信装置に取り込み登録する手段と、送信後、取り込んだ送信あて先情報を削除する手段とを備える。通信装置と携帯端末とが通信可能になったとき、自動的に、送信あて先情報を取り込み、通信装置と携帯端末との通信が不可能になったとき、自動的に、送信あて先情報を削除する。【選択図】        図１
2004248034.tif 000002
【特許請求の範囲】
【請求項１】
それぞれ送信あて先情報を記憶する記憶手段を備えた通信装置と携帯端末装置とから構成される通信システムにおいて、前記通信装置と前記携帯端末装置との間で、前記携帯端末装置の記憶手段に格納した送信あて先情報を、前記通信装置に取り込む送受信手段と、前記送受借手段によって取り込んだ送信あて先情報を、前記通信装置の記憶手段に登録する登録手段と、送信の後、前記通信装置の記憶手段から送信あて先情報を削除する削除手段とを備えたことを特徴とする通信システム。
【請求項２】
前記送信あて先情報の取り込みと登録の処理は、前記通信装置と前記携帯端末装置との間で、通信が可能な状態になったとき、自動的に開始するようにしたことを特徴とする請求項１に記載の通信システム。
【請求項３】
前記送信あて先情報の取り込みと登録の処理は、利用者の所定の操作により、前記通信装置と携帯端末装置との間で、自動的に開始するようにしたことを特徴とする請求項１に記載の通信システム。
【請求項４】
前記送信あて先情報の削除処理は、前記通信装置と前記携帯端末装置との間で、通信が不可能な状態になったとき、あるいは中途で送信を中止した場合に、前記通信装置で、自動的に開始するようにしたことを特徴とする請求項１に記載の通信システム。
【請求項５】
前記送信あて先情報の削除処理は、送信後、ただちに、前記通信装置で、自動的に開始するようにしたことを特徴とする請求項１に記載の通信システム。
【請求項６】
前記送信あて先情報の削除処理は、送信後、所定の時間が経過した後、前記通信装置で、自動的に開始するようにしたことを特徴とする請求項１に記載の通信システム。
【請求項７】
前記記憶手段に格納される送信あて先情報は、電話番号情報であることを特徴とする請求項１に記載の通信システム。
【請求項８】
前記記憶手段に格納される送信あて先情報は、電子メールアドレス情報であることを特徴とする請求項１に記載の通信システム。
【請求項９】
前記記憶手段に格納される送信あて先情報は、ＵＲＬ情報であることを特徴とする請求項１に記載の通信システム。
【請求項１０】
それぞれ送信あて先情報を記憶する記憶部を備えた通信装置と携帯端末装置とから構成される通信システムの制御方法において、前記通信装置と前記携帯端末装置との間で、前記携帯端末装置の記憶部に格納した送信あて先情報を、前記通信装置に取り込む送受信工程と、前記送受信工程によって取り込んだ送信あて先情報を、前記通信装置の記憶部に登録する登録工程と、送信の後、前記通信装置の記憶部から送信あて先情報を削除する削除工程とを備えたことを特徴とする通信システムの制御方法。
【請求項１１】
前記送信あて先情報の取り込みと登録の処理は、前記通信装置と前記携帯端末装置との間で、通信が可能な状態になったとき、自動的に開始するようにしたことを特徴とする請求項１０に記載の通信システムの制御方法。
【請求項１２】
前記送信あて先情報の取り込みと登録の処理は、利用者の所定の操作により、前記通信装置と携帯端末装置との間で、自動的に開始するようにしたことを特徴とする請求項１０に記載の通信システムの制御方法。
【請求項１３】
前記送信あて先情報の削除処理は、前記通信装置と前記携帯端末装置との間で、通信が不可能な状態になったとき、前記通信装置で、自動的に開始するようにしたことを特徴とする請求項１０に記載の通信システムの制御方法。
【請求項１４】
前記送信あて先情報の削除処理は、送信後、ただちに、前記通信装置で、自動的に開始するようにしたことを特徴とする請求項１０に記載の通信システムの制御方法。
【請求項１５】
前記送信あて先情報の削除処理は、送信後、所定の時間が経過した後、前記通信装置で、自動的に開始するようにしたことを特徴とする請求項１０に記載の通信システムの制御方法。
【請求項１６】
前記記憶部に格納される送信あて先情報は、電話番号情報であることを特徴とする請求項１０に記載の通信システムの制御方法。
【請求項１７】
前記記憶部に格納される送信あて先情報は、電子メールアドレス情報であることを特徴とする請求項１０に記載の通信システムの制御方法。
【請求項１８】
前記記憶部に格納される送信あて先情報は、ＵＲＬ情報であることを特徴とする請求項１０に記載の通信システムの制御方法。
【請求項１９】
それぞれ送信あて先情報を記憶する記憶手段を備えた通信装置と携帯端末装置とから構成される通信システムを機能させるプログラムを格納した記憶媒体において、前記通信装置と前記携帯端末装置との間で、前記携帯端末装置の記憶手段に格納した送信あて先情報を、前記通信装置に取り込む送受信手段と、前記送受信手段によって取り込んだ送信あて先情報を、前記通信装置の記憶手段に登録する登録手段と、送信の後、前記通信装置の記憶手段から送信あて先情報を削除する削除手段として機能するプログラムを格納したことを特徴とする記憶媒体。
【請求項２０】
前記送信あて先情報の取り込みと登録の処理は、前記通信装置と前記携帯端末装置との間で、通信が可能な状態になったとき、自動的に開始するように機能するプログラムを格納したことを特徴とする請求項１９に記載の記憶媒体。
【請求項２１】
前記送信あて先情報の取り込みと登録の処理は、利用者の所定の操作により、前記通信装置と携帯端末装置との間で、自動的に開始するように機能するプログラムを格納したことを特徴とする請求項１９に記載の記憶媒体。
【請求項２２】
前記送信あて先情報の削除処理は、前記通信装置と前記携帯端末装置との間で、通信が不可能な状態になったとき、前記通信装置で、自動的に開始するように機能するプログラムを格納したことを特徴とする請求項１９に記載の記憶媒体。
【請求項２３】
前記送信あて先情報の削除処理は、通信送信後、ただちに、前記通信装置で、自動的に開始するように機能するプログラムを格納したことを特徴とする請求項１９に記載の記憶媒体。
【請求項２４】
前記送信あて先情報の削除処理は、送信後、所定の時間が経過した後、前記通信装置で、自動的に開始するように機能するプログラムを格納したことを特徴とする請求項１９に記載の記憶媒体。
【請求項２５】
前記記憶手段に格納される送信あて先情報は、電話番号情報であるように機能するプログラムを格納したことを特徴とする請求項１９に記載の記憶媒体。
【請求項２６】
前記記憶手段に格納される送信あて先情報は、電子メールアドレス情報であるように機能するプログラムを格納したことを特徴とする請求項１９に記載の記憶媒体。
【請求項２７】
前記記憶手段に格納される送信あて先情報は、ＵＲＬ情報であるように機能するプログラムを格納したことを特徴とする請求項１９に記載の記憶媒体。
【発明の詳細な説明】
【０００１】
【発明の属する技術分野】
本発明は、送信あて先情報を記憶する機能を備えた通信装置と携帯端末装置とから構成される通信システムに関するものであり、より詳しくは、携帯端末装置に格納されている送信あて先情報を、通信装置に自動的に取り込み、通信装置のあて先情報として利用した後、通信装置から自動的に削除するようにした通信システム、およびその制御方法に関する。
【０００２】
【従来の技術】
近年、携帯端末装置（携帯電話やＰＨＳ端末：Ｐｅｒｓｏｎａｌ  ＨａｎｄｙＰｈｏｎｅ  Ｓｙｓｔｅｍ、ＰＤＡ：Ｐｅｒｓｏｎａｌ  Ｄｉｇｉｔａｌ  Ａｓｓｉｓｔａｎｔ等）の普及がめざましく、これらの高機能化が進み、送信あて先情報である電話帳データを、携帯端末装置間で相互に転送できる装置が提案されている（特開平１０−２４３０７８号公報、特開２０００−０７８２６４号公報）。
【０００３】
一方、ファクシミリ装置においても、送信あて先情報である電話帳データを記憶する機能を備え、ファクシミリ原稿を同じあて先に送る際に、余分な入力を省き、操作を簡略化できるようにした装置が知られている。
【０００４】
また、ファクシミリ装置の多機能化により、ファクシミリ機能だけでなく、コピー機能や、プリンタ機能を備えたファクシミリ装置も既に知られている。
【０００５】
このようなファクシミリ装置は、その利便性から、企業や学校、一般家庭等のような利用者が限定される場所だけでなく、広く公衆の用に供するような場所、例えば、コンビニエンスストアに設置されて、不特定多数の利用者が利用できるようになってきている。
【０００６】
【発明が解決しようとする課題】
しかし、上記従来技術には、次のような課題があった。
【０００７】
携帯端末装置、ファクシミリ装置のいずれもが、送信あて先情報である電話帳データを記憶する機能を備えていたとしても、相互に電話帳データを転送できるように構成されたシステムでない場合は、利用者が一々携帯端末装置の電話帳データを調べ、見つかった電話番号を、その都度、ファクシミリ送信の際に、ファクシミリ装置に入力してやる必要があり、操作を煩雑にするとともに、電話番号の入力間違いを引き起こしやすいとうい問題があった。
【０００８】
また、相互に電話帳データを転送できるように構成されたシステムである場合は、転送された電話帳データを、ファクシミリ送信の際に利用することができるようになるが、その反面、電話帳データが恒久的にファクシミリ装置に残るので、不特定多数の利用者が利用するシステムでは、他人に電話帳データが知られることとなり、機密性が保てないという問題があった。
【０００９】
本発明はこれらの課題に鑑みて為されたものであり、不特定多数の利用者によって利用されるファクシミリ装置において、利用者の携帯端末装置に格納された送信あて先情報を使って、簡便にファクシミリ送信ができるとともに、機密性の高い、安全な通信システムおよびその制御方法を提供することを目的とする。
【００１０】
【課題を解決するための手段】
上記目的を達成するために、請求項１に記載の発明にあっては、それぞれ送信あて先情報を記憶する記憶手段を備えたファクシミリ装置と携帯端末装置とから構成される通信システムにおいて、前記ファクシミリ装置と前記携帯端末装置との間で、前記携帯端末装置の記憶手段に格納した送信あて先情報を、前記ファクシミリ装置に取り込む送受信手段と、前記送受信手段によって取り込んだ送信あて先情報を、前記ファクシミリ装置の記憶手段に登録する登録手段と、ファクシミリ送信の後、前記ファクシミリ装置の記憶手段から送信あて先情報を削除する削除手段とを備えたことを特徴とする。
【００１１】
また、請求項２に記載の発明にあっては、請求項１に記載の通信システムにおいて、前記送信あて先情報の取り込みと登録の処理は、前記ファクシミリ装置と前記携帯端末装置との間で、通信が可能な状態になったとき、自動的に開始するようにしたことを特徴とする。
【００１２】
また、請求項３に記載の発明にあっては、請求項１に記載の通信システムにおいて、前記送信あて先情報の取り込みと登録の処理は、利用者の所定の操作により、前記ファクシミリ装置と携帯端末装置との間で、自動的に開始するようにしたことを特徴とする。
【００１３】
また、請求項４に記載の発明にあっては、請求項１に記載の通信システムにおいて、前記送信あて先情報の削除処理は、前記ファクシミリ装置と前記携帯端末装置との間で、通信が不可能な状態になったとき、あるいは中途で送信を中止したとき、前記ファクシミリ装置で、自動的に開始するようにしたことを特徴とする。
【００１４】
また、請求項５に記載の発明にあっては、請求項１に記載の通信システムにおいて、前記送信あて先情報の削除処理は、ファクシミリ送信後、ただちに、前記ファクシミリ装置で、自動的に開始するようにしたことを特徴とする。
【００１５】
また、請求項６に記載の発明にあっては、請求項１に記載の通信システムにおいて、前記送信あて先情報の削除処理は、ファクシミリ送信後、所定の時間が経過した後、前記ファクシミリ装置で、自動的に開始するようにしたことを特徴とする。
【００１６】
また、請求項７に記載の発明にあっては、請求項１に記載の通信システムにおいて、前記記憶手段に格納される送信あて先情報は、電話番号情報であることを特徴とする。
【００１７】
また、請求項８に記載の発明にあっては、請求項１に記載の通信システムにおいて、前記記憶手段に格納される送信あて先情報は、電子メールアドレス情報であることを特徴とする。
【００１８】
また、請求項９に記載の発明にあっては、請求項１に記載の通信システムにおいて、前記記憶手段に格納される送信あて先情報は、ＵＲＬ情報であることを特徴とする。
【００１９】
本発明によれば、利用者の携帯端末装置に格納された送信あて先情報が、携帯端末装置とファクシミリ装置との間で、通信が可能な状態になったとき、あるいは、利用者の所定の操作によって指示されとき、自動的にファクシミリ装置に取り込まれるので、利用者が、ファクシミリ送信時に、送信あて先となる電話番号を、直接入力する必要がなくなり、利用者の操作を簡略化できるとともに、入力間違いを防ぐことが可能となる。
【００２０】
さらに、ファクシミリ装置と携帯端末装置との間で、通信が不可能な状態になったとき、あるいは利用者が送信を途中で中止したとき、あるいは、ファクシミリ送信が終了したとき、またあるいは、ファクシミリ送信後に所定の時間が経過したとき、取り込んだ利用者の送信あて先情報が、自動的にファクシミリ装置から削除されるので、送信あて先情報を他の利用者に知られることがなく、機密性の高い安全なシステムとすることが可能となる。
【００２１】
【発明の実施の形態】
以下、図面を用いて本発明の実施例について説明する。
【００２２】
ここで、携帯端末装置やファクシミリ装置の動作・機能について既に広く知られている点に関しては、適宜、説明を省略する。
【００２３】
図１は、本実施例における通信システムのファクシミリ装置の構成を示すブロック図である。ファクシミリ装置１０は、ファクシミリ通信機能、コピー機能、プリンタ機能等を備えた多機能ファクシミリ装置として構成されている。ファクシミリ装置１０は、主な構成要素として、ファクシミリ装置全体の制御を司るコントローラ部１１、操作部１６、表示部１７、回線制御部１８、スキャナ１９、プリンタ２０、外部記憶媒体２１、ＬＡＮ制御部２２、ハンドセット２３、無線通信制御部２４、アンテナ２５を備えている。
【００２４】
コントローラ部１１は、ＣＰＵ１２、ＲＯＭ１３、ＲＡＭ１４、タイマ１５等を備える。ＣＰＵが実行する各種プログラムや、プログラムが必要とするデータ等は、予めＲＯＭ１３に記憶されている。また、一部のプログラムやデータは、外部記憶媒体２１に予め格納しておき、ＲＡＭ１４に読み出して実行することも可能である。送信あて先情報は、ＲＡＭ１４に記憶される。
【００２５】
操作部１６は、図３の例に示すように、電話番号の入力等に使用するテンキー１０２や、ファクシミリ装置１０の提供する機能をワンタッチで実行する機能キー１０３を備えている。表示部１７はＬＣＤとタッチパネルで構成され、図３の例に示すように、あて先リストを表示したり、処理の進行状況等、各種のメッセージを表示するのに用いられる。タッチパネルを押下することで操作部１６の一部として機能させることもできる。回線制御部１８は、電話回線を介しての通話やファクシミリ送受信を行うためのものであり、スキャナ１９で読み取った画像をファクシミリ送信用のデータ形式に符号化したり、受信したデータを複合化する符号化／複合化器や、モデム、ＮＣＵを備える。
【００２６】
スキャナ１９は、ファクシミリ送信を行ったり、コピーを行ったりする場合に原稿を読み込むのに用いられる。プリンタ２０は、ファクシミリの受信データを印刷出力したり、コピー機能によって、スキャナ１９で読み取った画像を印刷出力するのに用いられる。外部記憶媒体２１は、プログラムを格納したり、スキャナ１９で読み取った画像を保存するのにも用いられる。
【００２７】
ＬＡＮ制御部は、構内ネットワークを介して、他のファクシミリ装置と通信したり、ホストコンピュータと通信するためのものである。
【００２８】
ハンドセット２３は、電話回線を介して通話を行うのに用いられる。
【００２９】
無線通信制御部２４は、アンテナ２５を介して、携帯端末装置４０との間で無線通信を行うのに用いられる。
【００３０】
図２は、本実施例における通信システムの携帯端末装置の構成を示すブロック図である。携帯端末装置４０は、主な構成要素として、携帯端末装置全体の制御を司るコントローラ部４１、操作部４６、表示部４７、スピーカ４８、マイク４９、無線通信制御部５０、アンテナ５１を備えている。
【００３１】
コントローラ部４１は、ＣＰＵ４２、ＲＯＭ４３、ＲＡＭ４４、タイマ４５等を備える。ＣＰＵが実行する各種プログラムや、プログラムが必要とする、データ等は、予めＲＯＭ４３に記憶されている。
【００３２】
送信あて先情報は、ＲＡＭ４４に記憶される。操作部４６は、電話番号の入力等に使用するテンキーや、携帯端末装置４０の提供する機能をワンタッチで実行する機能キー等を備えている。表示部４７はＬＣＤとタッチパネルで構成され、あて先リストを表示したり、処理の進行状況等、各種のメッセージを表示するのに用いられる。タッチパネルを押下することで操作部４６の一部として機能させることもできる。スピーカ４８は通話の際に、音声を出力するのに用いられる。マイク４９は通話の際に、音声を入力するのに用いられる。無線通信制御部５０は、アンテナ５１を介して、他の携帯端末装置や、ファクシミリ装置１０との間で無線通信を行うのに用いられる。
【００３３】
図３は、ファクシミリ装置における送信あて先リストの表示例を示す図である。操作部１６は、電話番号の入力等に使用するテンキー１０２や、ファクシミリ装置１０の提供する機能をワンタッチで実行する機能キー１０３を備えている。表示部１７は、あて先リストを表示したり、処理の進行状況等、各種のメッセージを表示するのに用いられる。表示部１７のタッチパネルを押下することで操作部１６の一部として機能させることもできる。
【００３４】
以上のような構成を持つ通信システムの動作について、図４から図８のフローチャートを用いて、以下に説明する。
【００３５】
ここで説明する実施例の通信システムは、コンビニエンスストアなど、公衆の用に供する場所に設置され、不特定多数の利用者によって利用されるファクシミリ装置と、そのファクシミリ装置と通信可能な携帯端末装置とからなる通信システムであって、具体的には、携帯端末装置を持った利用者が、コンビニエンスストアに設置されたファクシミリ装置を利用するとき、利用者の携帯端末装置に格納されている送信あて先情報（アドレス帳データ）を、ファクシミリ装置が自動的に取り込み、取り込んだ利用者の送信あて先情報を、一旦ファクシミリ装置の送信あて先情報として登録し、送信あて先リストをファクシミリの表示装置に表示して、利用者に送信あて先を選択させ、ファクシミリ送信が終了すると、ファクシミリ装置が取り込んだ利用者の送信あて先情報を、ファクシミリ装置から自動的に削除する通信システムである。
【００３６】
本実施例の通信システムにおいては、携帯端末装置からのあて先情報の取り込み方法に２つの形態がある。ひとつは、ファクシミリ装置と携帯端末装置との間で、通信が可能な状態になったとき、あて先情報の取り込みを開始するようにした形態と、もうひとつは、利用者の所定の操作により、あて先情報の取り込みを開始するようにした形態である。ここでは、前者を自動登録モード、後者を手動登録モードと呼ぶ。この登録モードの種別は、ファクシミリ装置の所定記憶領域に設定され、ファクシミリ装置は、この登録モードの種別によって動作する。
【００３７】
さらに、本実施例の通信システムにおいては、ファクシミリ装置が取り込んだ利用者の送信あて先情報、ファクシミリ送信が終了した後に、削除する方法に、３つの形態がある。ひとつは、ファクシミリ装置と携帯端末装置との間で、通信が不可能な状態になったとき、利用者の送信あて先情報を削除する形態であり、ここではこれを、切断後削除モードと呼ぶ。もうひとつは、ファクシミリ送信後、ただちに、利用者の送信あて先情報を削除する形態であり、ここではこれを、送信後削除モードと呼ぶ。さらにもうひとつは、ファクシミリ送信後、所定の時間が経過した後、利用者の送信あて先情報を削除する形態であり、ここではこれを、待機後後削除モードと呼ぶ。この登録モードの種別は、ファクシミリ装置の所定記憶領域に設定され、ファクシミリ装置は、この登録モードの種別によって動作する。
【００３８】
図４は、ファクシミリ装置１０におけるファクシミリ送信処理のフローチャートである。
【００３９】
図５は、携帯端末装置５０における送信あて先情報の自動送伝処理のフローチャートである。
【００４０】
図６は、ファクシミリ装置１０における送信あて先情報の自動登録処理のフローチャートである。
【００４１】
図７は、ファクシミリ装置１０における送信あて先情報の切断後削除処理のフローチャートである。
【００４２】
図８は、ファクシミリ装置１０における送信あて先情報の待機後削除処理のフローチャートである。
【００４３】
本実施例の通信システムでは、携帯端末装置４０は、図５に示すあて先自動送信処理手順が常に動作しており、ステップＳ５０１で、ファクシミリ装置との接続を待機する状態にある。ファクシミリ装置１０が自動登録モードで開始すると、図６に示すあて先自動登録処理手順が常に動作しており、ステップＳ６０１で、携帯端末装置との接続を待機する状態にある。いま、携帯端末装置４０を持った利用者が、ファクシミリ装置１０を使用するために近づき、携帯端末装置４０とファクシミリ装置１０とが通信可能な範囲に入ると、無線通信により接続され、お互いのデータのやり取りが可能となる。携帯端末装置４０は、ステップＳ５０２に進み、あて先リストをメモリから読み込んで、これをステップＳ５０３においてファクシミリ装置１０に送信する。一方ファクシミリ装置１０は、ステップＳ６０２に進み、携帯端末装置４０から送られてきたあて先リストを受信し、ステップＳ６０３で、あて先リストをファクシミリ装置１０のメモリに登録する。以上の手順によって、自動登録モードの時には、携帯端末装置４０からファクシミリ装置１０にあて先リストが自動的に送られる。
【００４４】
利用者が、ファクシミリ装置１０を使用して、ファクシミリ送信を行う場合は、図４に示す処理手順で進む。ファクシミリ装置１０は、ステップＳ４０１で、利用者の〔あて先リスト〕キーの押下を待機する。利用者が、操作部１００の機能キー１０３の中から〔あて先リスト〕キーを押すと、ファクシミリ装置１０の処理は、ステップＳ４０２に進む。ステップＳ４０２では、あて先リストが、携帯端末装置から取り込み済みか否かを判定する。上記で説明した自動登録モードの場合、既にあて先リストは取り込まれているので、ステップＳ４０６に進む。手動登録モードの場合、あて先リストはまだとりこまれておらず、この〔あて先リスト〕キーの押下を契機としで、取り込みと登録の処理が、ステップＳ４０３から行われる。ステップＳ４０３で携帯端末装置４０に接続し、ステップＳ４０４であて先リストを受信する。携帯端末装置４０は、自動登録モードのときと同じく、図５のステップＳ５０１で待機しているので、ファクシミリ装置１０と接続したら、上記で説明したステップＳ５０２からの処理を行う。ファクシミリ装置１０は、ステップＳ４０５で、あて先リストをファクシミリ装置１０のメモリに登録し、ステップＳ４０６に進んで、あて先リストを表示部１７の図３の１０１のように表示する。ここでの例では、あて先情報として、ＦＡＸ番号、電話番号、そして、電子メール番号が表示されている。この状態で、利用者が、送信あて先を決定すると（Ｓ４０７）、ファクシミリ装置１０は次のステップＳ４０８で〔スタート〕キーの押下を待機する。図３の表示例では、表示部１７のタッチパネルから、「０４４−５５５−ｘｘｘｘ」が選択、決定され、反転表示された状態を示している。利用者により〔スタート〕キーが押されると、ステップＳ４０９において、スキャナにより原稿を読み取り、ステップＳ４１０において、先ほど選択された「０４４−５５５−ｘｘｘｘ」にファクシミリ送信を行う。ファクシミリ送信が完了すると、ステップＳ４１１において切断後削除モードか否かを判定し、そうであれば、切断後削除処理を起動する。そうでなければ、ステップＳ４１３において待機後削除モードか否かを判定し、そうであれば、待機後削除処理を起動する。そうでなければ、ステップＳ４１５において、送信後削除モードか否かを判定し、そうであれば、ステップＳ４１６で登録されていたあて先リストを、ファクシミリ装置１０のメモリから削除する。
【００４５】
ステップＳ４１２から起動される切断後削除処理は、図７に示すような処理で順で、ステップＳ７０１において、端末装置１０との接続が切断するまで待機し、切断したときに、ステップＳ７０２に進み、あて先リストがメモリ上にあれば、ステップＳ７０３で、あて先リストを削除する。
【００４６】
ステップＳ４１４から起動される待機後削除処理は、図８に示すような処理で順で、ステップＳ８０１において、指定時間を待機する。待機時間は、ファクシミリ装置１０の所定記憶領域に前もって設定されているものとする。
【００４７】
待機時間が経過すると、ステップＳ８０２に進み、あて先リストがメモリ上にあれば、ステップＳ８０３で、あて先リストを削除する。
【００４８】
以上説明した手順によって、自動登録モードの時には、携帯端末装置４０からファクシミリ装置１０にあて先リストが自動的に送られ、利用者の手を煩わすことがなく、利用者の操作を簡略化することができる。
【００４９】
また、日ごろ使い慣れたあて先リストを、携帯端末装置とファクシミリ装置との間で共用できることで、公衆の場に設置されたファクシミリ装置をあたかも自分専用のファクシミリ装置としてつかえるようになり、利用者の利便性をさらに高めることができる。
【００５０】
さらに、ファクシミリ送信が終了すると、取り込んだ利用者のあて先リストが、自動的にファクシミリ装置から削除されるので、送信リストを他の利用者に知られることがなく、安全な通信システムとして利用することができるようになる。
【００５１】
また、上記の例では、携帯端末装置とファクシミリ装置との間の通信を無線通信とする例について説明したが、有線通信や、赤外線通信、そのた周知の非接触型通信で構成するような通信システムとしてもよい。
【００５２】
また、本実施例は通信装置としてファクシミリ装置を例にとって説明したが、特にファクシミリ装置に限定するものではなく、送信あて先情報を記憶する手段を有する通信装置であればどんなものでも適用できる。
【００５３】
以上、本発明について、上記の実施例に基づき説明してきた。本発明はハードウエアを用いても、ソフトウエアでも実現できる。
【００５４】
従って、上述した実施形態の機能を実現するソフトウエアのプログラム・コードを記憶した記憶媒体も、それを読み出して実行すれば上述の機能を実現でき、本発明を構成するものである。
【００５５】
【発明の効果】
以上説明したように、本発明は、利用者の携帯端末装置に格納された送信あて先情報が、携帯端末装置と通信装置との間で、自動的に通信装置に取り込まれるので、利用者が、送信時に、送信あて先となる電話番号を、直接入力する必要がなくなり、利用者の操作を簡略化できるとともに、入力間違いを防ぐことができるという効果がある。
【００５６】
また、送信後、取り込んだ利用者の送信あて先情報が、自動的に通信装置から削除されるので、利用者の操作を簡略化できるととも、送信あて先情報を他の利用者に知られることがなく、機密性の高い安全なシステムにできるという効果がある。
【図面の簡単な説明】
【図１】本実施例における通信システムのファクシミリ装置の構成を示すブロック図である。
【図２】本実施例における通信システムの携帯端末装置の構成を示すブロック図である。
【図３】ファクシミリ装置における送信あて先リストの表示例を示す図である。
【図４】ファクシミリ装置におけるファクシミリ送信処理のフローチャートである。
【図５】携帯端末装置における送信あて先情報の自動送信処理のフローチャートである。
【図６】ファクシミリ装置における送信あて先情報の自動登録処理のフローチャートである。
【図７】ファクシミリ装置における送信あて先情報の切断後削除処理のフローチャートである。
【図８】ファクシミリ装置における送信あて先情報の待機後削除処理のフローチャートである。
【符号の説明】
１０  ファクシミリ装置
１１  コントローラ部
１２  ＣＰＵ
１３  ＲＯＭ
１４  ＲＡＭ
１５  タイマ
１６  操作部
１７  表示部
１８  回線制御部
１９  スキャナ
２０  プリンタ
２１  外部記憶媒体
２２  ＬＡＮ制御部
２３  ヘッドセット
２４  無線通信制御部
２５  アンテナ
４０  携帯端末装置
４１  コントローラ部
４２  ＣＰＵ
４３  ＲＯＭ
４４  ＲＡＭ
４５  タイマ
４６  操作部
４７  表示部
４８  スピーカ
４９  マイク
５０  無線通信制御部
５１  アンテナ
１００  操作パネル
１０１  あて先リスト
１０２  テンキー
１０３  機能キー
【図１】
2004248034.tif 000003
【図２】
2004248034.tif 000004
【図３】
2004248034.tif 000005
【図４】
2004248034.tif 000006
【図５】
2004248034.tif 000007
【図６】
2004248034.tif 000008
【図７】
2004248034.tif 000009
【図８】
2004248034.tif 000010